(57)【特許請求の範囲】
【請求項１】
制御部と表示部とを備え、
前記制御部は、
家計簿管理アプリケーションに登録されている複数のユーザで構成されるグループに対する、金額に関するグループ目標を設定する設定手段と、
前記グループを構成する前記ユーザである全ての構成ユーザの、前記家計簿管理アプリケーションに登録されている残高を合算する合算手段と、
前記設定手段で設定された前記グループ目標および前記合算手段で合算された前記残高に基づいて、当該グループ目標の進捗状況を確認する確認手段と、
前記確認手段で確認された前記進捗状況を前記表示部に表示する進捗表示実行手段と、
を備えたこと、
を特徴とする金額目標管理装置。
【請求項２】
前記設定手段は、前記構成ユーザに対する、金額に関するユーザ目標を設定し、
前記確認手段は、前記設定手段で設定された前記構成ユーザに対する前記ユーザ目標および前記家計簿管理アプリケーションに登録されている当該構成ユーザの前記残高に基づいて、当該ユーザ目標の前記進捗状況を確認すること、
を特徴とする請求項１に記載の金額目標管理装置。
【請求項３】
前記制御部は、前記確認手段で確認された前記進捗状況に基づいて、感情表現がデザインされたキャラクタの当該感情表現を決定する決定手段をさらに備え、
前記進捗表示実行手段は、前記決定手段で決定された前記感情表現の前記キャラクタを前記表示部に表示すること、
を特徴とする請求項１または２に記載の金額目標管理装置。
【請求項４】
制御部と表示部とを備えた金額目標管理装置の前記制御部で実行される、
家計簿管理アプリケーションに登録されている複数のユーザで構成されるグループに対する、金額に関するグループ目標を設定する設定ステップと、
前記グループを構成する前記ユーザである全ての構成ユーザの、前記家計簿管理アプリケーションに登録されている残高を合算する合算ステップと、
前記設定ステップで設定された前記グループ目標および前記合算ステップで合算された前記残高に基づいて、当該グループ目標の進捗状況を確認する確認ステップと、
前記確認ステップで確認された前記進捗状況を前記表示部に表示する進捗表示実行ステップと、
を含むこと、
を特徴とする金額目標管理方法。
【請求項５】
制御部と表示部とを備えた金額目標管理装置の前記制御部に実行させるための、
家計簿管理アプリケーションに登録されている複数のユーザで構成されるグループに対する、金額に関するグループ目標を設定する設定ステップと、
前記グループを構成する前記ユーザである全ての構成ユーザの、前記家計簿管理アプリケーションに登録されている残高を合算する合算ステップと、
前記設定ステップで設定された前記グループ目標および前記合算ステップで合算された前記残高に基づいて、当該グループ目標の進捗状況を確認する確認ステップと、
前記確認ステップで確認された前記進捗状況を前記表示部に表示する進捗表示実行ステップと、
を含むこと、
を特徴とする金額目標管理プログラム。
【発明の詳細な説明】
【技術分野】
【０００１】
本発明は、家計簿管理において、お金に関する目標（例えば節約目標または貯蓄目標など）を管理する金額目標管理装置、金額目標管理方法、および金額目標管理プログラムに関する。
【背景技術】
【０００２】
家族内において、家計簿の管理は、家計簿管理アプリケーションを用いて、各人が個々に管理したり、家族の代表者が管理したりするといった、個人主体のものである。【０００３】
なお、家計簿管理に関する先行技術文献として、例えば特許文献１および２が挙げられる。特許文献１には、家計管理に必要な支出と収支の管理が一枚の表にまとめられた家計管理表に関する技術が開示されている。特許文献２には、ゲーム化した表示画面をインターフェースにしてユーザに家計データを入力させ、入力された家計データを家計管理サーバに送信し、家計管理サーバに送信された家計データを家計データベースに登録する家計管理支援方法等に関する技術が開示されている。
【先行技術文献】
【特許文献】
【０００４】
【特許文献１】特開平１１−５９０２５号公報
【特許文献２】特開２００３−７６８４６号公報
【発明の概要】
【発明が解決しようとする課題】
【０００５】
しかしながら、これまでの家計簿管理では、お金に関する目標（例えば節約目標または貯蓄目標など）を、例えば家族などのグループという総合的な括りで管理することはできなかった、という問題点があった。【０００６】
本発明は、上記に鑑みてなされたものであって、家計簿管理において、お金に関する目標（例えば節約目標または貯蓄目標など）をグループという総合的な括りで管理することができるようになり、その結果、当該グループを構成する各々のユーザに、当該目標の達成に向けた継続的な行動（例えばお金の節約もしくは貯蓄、および家計簿の運用など）を効果的に促すことができる金額目標管理装置、金額目標管理方法、および金額目標管理プログラムを提供することを目的とするものである。
【課題を解決するための手段】
【０００７】
上述した課題を解決し、目的を達成するために、制御部と表示部とを備え、前記制御部は、家計簿管理アプリケーションに登録されている複数のユーザで構成されるグループに対する、金額に関するグループ目標を設定する設定手段と、前記グループを構成する前記ユーザである全ての構成ユーザの、前記家計簿管理アプリケーションに登録されている残高を合算する合算手段と、前記設定手段で設定された前記グループ目標および前記合算手段で合算された前記残高に基づいて、当該グループ目標の進捗状況を確認する確認手段と、前記確認手段で確認された前記進捗状況を前記表示部に表示する進捗表示実行手段と、を備えたこと、を特徴とする。【０００８】
また、本発明にかかる金額目標管理装置は、前記の金額目標管理装置において、前記設定手段は、前記構成ユーザに対する、金額に関するユーザ目標を設定し、前記確認手段は、前記設定手段で設定された前記構成ユーザに対する前記ユーザ目標および前記家計簿管理アプリケーションに登録されている当該構成ユーザの前記残高に基づいて、当該ユーザ目標の前記進捗状況を確認すること、を特徴とする。【０００９】
また、本発明にかかる金額目標管理装置は、前記の金額目標管理装置において、前記制御部は、前記確認手段で確認された前記進捗状況に基づいて、感情表現がデザインされたキャラクタの当該感情表現を決定する決定手段をさらに備え、前記進捗表示実行手段は、前記決定手段で決定された前記感情表現の前記キャラクタを前記表示部に表示すること、を特徴とする。【００１０】
また、本発明は金額目標管理方法に関するものであり、本発明にかかる金額目標管理方法は、制御部と表示部とを備えた金額目標管理装置の前記制御部で実行される、家計簿管理アプリケーションに登録されている複数のユーザで構成されるグループに対する、金額に関するグループ目標を設定する設定ステップと、前記グループを構成する前記ユーザである全ての構成ユーザの、前記家計簿管理アプリケーションに登録されている残高を合算する合算ステップと、前記設定ステップで設定された前記グループ目標および前記合算ステップで合算された前記残高に基づいて、当該グループ目標の進捗状況を確認する確認ステップと、前記確認ステップで確認された前記進捗状況を前記表示部に表示する進捗表示実行ステップと、を含むこと、を特徴とする。【００１１】
また、本発明は金額目標管理プログラムに関するものであり、本発明にかかる金額目標管理プログラムは、制御部と表示部とを備えた金額目標管理装置の前記制御部に実行させるための、家計簿管理アプリケーションに登録されている複数のユーザで構成されるグループに対する、金額に関するグループ目標を設定する設定ステップと、前記グループを構成する前記ユーザである全ての構成ユーザの、前記家計簿管理アプリケーションに登録されている残高を合算する合算ステップと、前記設定ステップで設定された前記グループ目標および前記合算ステップで合算された前記残高に基づいて、当該グループ目標の進捗状況を確認する確認ステップと、前記確認ステップで確認された前記進捗状況を前記表示部に表示する進捗表示実行ステップと、を含むこと、を特徴とする。【００１２】
また、本発明は記録媒体に関するものであり、本発明にかかるコンピュータ読み取り可能な記録媒体は、本発明にかかる前記の金額目標管理プログラムを記録したことを特徴とする。
【発明の効果】
【００１３】
本発明によれば、家計簿管理アプリケーションに登録されている複数のユーザで構成されるグループに対する、金額に関するグループ目標を設定し、グループを構成するユーザである全ての構成ユーザの、家計簿管理アプリケーションに登録されている残高を合算し、設定されたグループ目標および合算された残高に基づいて、当該グループ目標の進捗状況を確認し、確認された進捗状況を表示部に表示するので、家計簿管理において、お金に関する目標（例えば節約目標または貯蓄目標など）をグループという総合的な括りで管理することができるようになり、その結果、当該グループを構成する各々のユーザに、当該目標の達成に向けた継続的な行動（例えばお金の節約もしくは貯蓄、および家計簿の運用など）を効果的に促すことができるという効果を奏する。【００１４】
また、本発明によれば、構成ユーザに対する、金額に関するユーザ目標を設定し、設定された構成ユーザに対するユーザ目標および家計簿管理アプリケーションに登録されている当該構成ユーザの残高に基づいて、当該ユーザ目標の進捗状況を確認するので、当該グループを構成する各々のユーザに、当該目標の達成に向けた継続的な行動（例えばお金の節約もしくは貯蓄、および家計簿の運用など）をより効果的に促すことができるという効果を奏する。【００１５】
また、本発明によれば、確認された進捗状況に基づいて、感情表現がデザインされたキャラクタの当該感情表現を決定し、決定された感情表現のキャラクタを表示部に表示するので、当該グループを構成する各々のユーザに、当該目標の達成に向けた継続的な行動（例えばお金の節約もしくは貯蓄、および家計簿の運用など）をより効果的に促すことができるという効果を奏する。
【図面の簡単な説明】
【００１６】
【図１】図１は、金額目標管理装置の構成の一例を示すブロック図である。
【図２】図２は、金額目標管理装置で実行される金額目標管理処理の一例を示すフローチャートである。
【図３】図３は、家計簿選択画面の一例を示す図である。
【図４】図４は、家計簿状況画面の一例を示す図である。
【図５】図５は、目標進捗画面の一例を示す図である。
【発明を実施するための形態】
【００１７】
以下に、本発明にかかる金額目標管理装置、金額目標管理方法、および金額目標管理プログラムの実施形態を図面に基づいて詳細に説明する。なお、本実施形態により本発明が限定されるものではない。
【００１８】
［１．構成］
本実施形態にかかる金額目標管理装置の構成を、図１を参照して説明する。図１は、金額目標管理装置の構成の一例を示すブロック図である。
【００１９】
金額目標管理装置１００は、例えば市販のパーソナルコンピュータ、スマートフォン、またはタブレット端末などの情報処理装置であり、制御部１０２、通信インターフェース部１０４、記憶部１０６、および入出力インターフェース部１０８を備えている。金額目標管理装置１００には、少なくとも家計簿アプリケーションがインストールされている。金額目標管理装置１００が備えている各部は、任意の通信路を介して通信可能に接続されている。
【００２０】
通信インターフェース部１０４は、ルータ等の通信装置および専用線等の有線または無線の通信回線を介して、金額目標管理装置１００を、外部の装置またはネットワークに通信可能に接続する。通信インターフェース部１０４は、他の装置と通信回線を介してデータを通信する機能を有する。
【００２１】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウスおよびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２２】
記憶部１０６は、家計簿データ記憶部１０６ａおよび目標データ記憶部１０６ｂを備えている。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムなどが記録されている。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、または光ディスク等を用いることができる。
【００２３】
家計簿データ記憶部１０６ａには、家計簿管理アプリケーションの管理下に置かれている、各ユーザの家計簿データ（例えば、費目（例えば食費または雑費など）、各費目に対応する実績（支出）、各費目に対応する予算、および各費目に対応する残金（残高）などを含む）が格納されている。
【００２４】
目標データ記憶部１０６ｂは、金額に関するグループ目標（例えば目的、目標金額、および目標達成時期（積み立て開始月日および積み立て終了月日を含む）などを含む節約目標または貯蓄目標など）および金額に関するユーザ目標（例えば、目標金額に対する分担金額または分担割合などを含む）を格納するためのものである。グループ目標は、後述する設定部１０２ａが、家計簿管理アプリケーションで自身の家計簿を管理している複数のユーザで構成されるグループ（例えば家族または友人同士など）に対して設定したものである。ユーザ目標は、後述する設定部１０２ａが、当該グループを構成するユーザである各構成ユーザ（例えば家族の構成員または個々の友人など）に対して設定したものである。
【００２５】
制御部１０２は、金額目標管理装置１００を統括的に制御するＣＰＵ等から成る。制御部１０２は、制御プログラムと各種の処理手順等を規定したプログラムと所要データとを格納するための内部メモリを有し、これらプログラムに基づいて種々の処理を実行するための情報処理を行う。制御部１０２は、設定部１０２ａ、合算部１０２ｂ、確認部１０２ｃ、進捗表示実行部１０２ｄ、および決定部１０２ｅを備えている。
【００２６】
設定部１０２ａは、家計簿管理アプリケーションで自身の家計簿を管理している複数のユーザで構成されるグループに対するグループ目標を設定する。なお、設定部１０２ａは、当該グループに含まれる構成ユーザに対するユーザ目標を設定してもよい。
【００２７】
合算部１０２ｂは、グループに含まれる全ての構成ユーザの家計簿データに基づいて、当該全ての構成ユーザの残金（残高）を合算する。
【００２８】
確認部１０２ｃは、設定部１０２ａで設定されたグループ目標および合算部１０２ｂで合算された残金に基づいて、当該グループ目標の進捗状況（例えばグループ目標の達成度または進捗度など）を確認する。なお、確認部１０２ｃは、設定部１０２ａで設定された各構成ユーザに対するユーザ目標および各構成ユーザの家計簿データに含まれている残金に基づいて、各ユーザ目標の進捗状況（例えばユーザ目標の達成度または進捗度など）を確認してもよい。
【００２９】
進捗表示実行部１０２ｄは、確認部１０２ｃで確認された進捗状況をモニタ１１４に表示する。なお、進捗表示実行部１０２ｄは、決定部１０２ｅで決定された感情表現（例えば喜怒哀楽または機嫌の状態など）がデザインされたキャラクタをモニタ１１４に表示してもよい。
【００３０】
決定部１０２ｅは、確認部１０２ｃで確認された進捗状況に基づいて、感情表現がデザインされたキャラクタの当該感情表現を決定する。
【００３１】
［２．処理］
上述した構成の金額目標管理装置１００で実行される金額目標管理処理の一例について、図２から図５を参照して説明する。
【００３２】
なお、本説明では、ユーザＡ、ユーザＢ、およびユーザＣの３名が家計簿管理アプリケーションを用いて各自で家計簿管理を行っており、家計簿データ記憶部１０６ａにはこの３名の家計簿データが格納されていることを前提とする。また、本説明では、この３名が１つのグループを構成する構成ユーザとして登録されていることを前提とする。また、本説明では、ユーザＡがグループ目標等の設定および確認等を行うものとする。
【００３３】
ユーザＡは、入力装置１１２を操作して、制御部１０２がモニタ１１４に予め表示した図３に示す家計簿選択画面ＭＡに設けられている領域ＭＡ１、領域ＭＡ２、および領域ＭＡ３のうち、当該ユーザＡに対応する領域ＭＡ１を選択する。
【００３４】
ここで、領域ＭＡ１、領域ＭＡ２、および領域ＭＡ３は、構成ユーザに自身の家計簿の表示を選択させるためのものである。具体的には、領域ＭＡ１はユーザＡの家計簿の表示を選択させるためのものであり、領域ＭＡ２はユーザＢの家計簿の表示を選択させるためのものであり、領域ＭＡ３はユーザＣの家計簿の表示を選択させるためのものである。なお、家計簿選択画面ＭＡは、或る構成ユーザ（例えばユーザＡ）が他の構成ユーザ（例えばユーザＢまたはユーザＣ）に対応する領域を選択しても当該他の構成ユーザの家計簿は表示されないように設計されたものであることが好ましい。
【００３５】
家計簿選択画面ＭＡに設けられている何れかの領域（本説明では図３に示す領域ＭＡ１）が選択されると、制御部１０２は、当該選択された領域に対応する構成ユーザ（本説明ではユーザＡ）の家計簿データを家計簿データ記憶部１０６ａから読み出す。制御部１０２は、読み出された家計簿データが出力されている図４に示す家計簿状況画面ＭＢを、モニタ１１４に表示する。
【００３６】
ここで、家計簿状況画面ＭＢは、現時点での家計簿の状況を表示させるための領域ＭＢ１を含んでいる。領域ＭＢ１は、文字「状況」が記されているタグ（状況タグ）と、グループ目標等の設定および確認を選択させるため、文字「目標」が記されているタグ（目標タグ）と、を含んでいる。領域ＭＢ１には、読み出された家計簿データに含まれている費目、各費目に対応する実績（支出）、各費目に対応する予算、および各費目に対応する残金（残高）が、所定の形式（例えば表など）で表示される。
【００３７】
ユーザＡは、入力装置１１２を操作して、領域ＭＢ１に含まれている目標タグを選択する。
【００３８】
目標タグが選択されると、制御部１０２は、目標データ記憶部１０６ｂに、ユーザＡが構成ユーザとして含まれているグループのグループ目標および当該グループの各構成ユーザ（本説明ではユーザＡ、ユーザＢ、およびユーザＣ）のユーザ目標が格納されているか否かを確認する。制御部１０２は、当該確認の結果が「格納されている」というものでなかった場合には進捗表示実行部１０２ｄを動作させ、「格納されている」というものであった場合には合算部１０２ｂを動作させる。
【００３９】
［ステップＳ１：グループ目標およびユーザ目標の設定］
確認の結果が「格納されている」というものでなかった場合、進捗表示実行部１０２ｄは、図５に示す目標進捗画面ＭＣを生成し、生成した目標進捗画面ＭＣをモニタ１１４に表示する。
【００４０】
ここで、図５に示す目標進捗画面ＭＣは、グループ目標および各ユーザ目標を設定および表示させるための領域ＭＣ１と、グループ目標および各ユーザ目標の進捗状況（達成状況）を表示させるための領域ＭＣ２と、を含んでいる。領域ＭＣ１は、グループ目標および各ユーザ目標の設定（登録）を選択させるための設定ボタンを含んでいる。なお、ステップＳ１で（グループ目標およびユーザ目標が設定されていないときに）表示される目標進捗画面ＭＣには、領域ＭＣ１にグループ目標および各ユーザ目標に関する具体的な文字（図５に示す文字「沖縄旅行」）および数字（図５に示す数字「１００，０００円」など）は表示されておらず、また領域ＭＣ２に進捗状況（図５に示す棒グラフおよびキャラクタなど）は表示されていない。
【００４１】
ユーザＡは、グループ目標を設定するため、入力装置１１２を操作して、目的、目標金額、および目標達成時期（積み立て開始月日および積み立て終了月日を含む）を、グループ目標として領域ＭＣ１に入力する。ユーザＡは、各構成ユーザのユーザ目標を設定するため、入力装置１１２を操作して、当該ユーザＡの分担金額または分担割合と予め決めておいた残りの構成ユーザ（本説明ではユーザＢおよびユーザＣ）の分担金額または分担割合とを、各構成ユーザのユーザ目標として領域ＭＣ１に入力する。ユーザＡは、これらの入力をおこなった後、入力装置１１２を操作して設定ボタンを押下する。
【００４２】
設定ボタンが押下されると、設定部１０２ａは、領域ＭＣ１に入力されている目的、目標金額、および目標達成時期を、グループ目標として目標データ記憶部１０６ｂに格納する。また、設定ボタンが押下されると、設定部１０２ａは、領域ＭＣ１に入力されている各分担金額または各分担割合を、各構成ユーザのユーザ目標として、グループ目標と関連付けて目標データ記憶部１０６ｂに格納する。
【００４３】
［ステップＳ２：残金の合算］
確認の結果が「格納されている」というものであった場合、合算部１０２ｂは、ユーザＡ以外の全ての構成ユーザ（本説明ではユーザＢおよびユーザＣ）の家計簿データを、家計簿データ記憶部１０６ａから読み出す。合算部１０２ｂは、読み出されたユーザＡ、ユーザＢ、およびユーザＣの家計簿データに基づいて、全構成ユーザの残金を合算する。
【００４４】
［ステップＳ３：進捗度の確認］
確認部１０２ｃは、ユーザＡが構成ユーザとして含まれているグループのグループ目標および当該グループの各構成ユーザ（本説明ではユーザＡ、ユーザＢ、およびユーザＣ）のユーザ目標を、目標データ記憶部１０６ｂから読み出す。確認部１０２ｃは、読み出されたグループ目標およびステップＳ２で算出された残金の合算値に基づいて、グループ目標の進捗度（達成度）を算出する。確認部１０２ｃは、読み出されたグループ目標および各構成ユーザのユーザ目標ならびに読み出された各構成ユーザ（本説明ではユーザＡ、ユーザＢ、およびユーザＣ）の家計簿データに基づいて、各ユーザ目標の進捗度（達成度）を確認する。
【００４５】
例えば、確認部１０２ｃは、グループ目標の進捗度を、式「“残金の合算値”÷“グループ目標に含まれている目標金額”」に基づいて算出してもよい。また、例えば、確認部１０２ｃは、各構成ユーザのユーザ目標の進捗度を、式「“家計簿データに含まれている残金”÷“ユーザ目標に含まれている分担金額”」または式「“家計簿データに含まれている残金”÷（“ユーザ目標に含まれている分担割合”×“グループ目標に含まれている目標金額”）」に基づいて算出してもよい。なお、式で計算された数値が大きければ大きいほど、進捗度が高いと判断される。
【００４６】
なお、確認部１０２ｃは、グループ目標および各ユーザ目標の達成予定月日を計算してもよい。例えば、確認部１０２ｃは、全ての構成ユーザが現時点までの積み立てペースを維持し続けると仮定して、グループ目標の達成予定月日を、式「｛（“グループ目標に含まれている目標金額”−“残金の合算値”）÷（“残金の合算値”÷“目標達成時期に含まれている積み立て開始月日から現時点までの経過日数”）｝＋現時点の月日」に基づいて計算してもよい。また、例えば、確認部１０２ｃは、構成ユーザが現時点までの積み立てペースをこのまま維持し続けると仮定して、ユーザ目標の達成予定日を、式「｛（“ユーザ目標に含まれている分担金額”−“家計簿データに含まれている残金”）÷（“家計簿データに含まれている残金”÷“目標達成時期に含まれている積み立て開始月日から現時点までの経過日数”）｝＋現時点の月日」に基づいて計算してもよい。
【００４７】
また、確認部１０２ｃは、目標達成時期に含まれている積み立て終了月日（期日）までにグループ目標および各ユーザ目標を達成するための月割りの目標金額を計算してもよい。例えば、確認部１０２ｃは、グループ目標に対する月割りの目標金額を、式「｛（“グループ目標に含まれている目標金額”−“残金の合算値”）÷“現時点から目標達成時期に含まれている積み立て終了月日までの残日数”｝×３０」に基づいて計算してもよい。また、例えば、確認部１０２ｃは、ユーザ目標に対する月割りの目標金額を、式「｛（“ユーザ目標に含まれている分担金額”−“家計簿データに含まれている残金”）÷“現時点から目標達成時期に含まれている積み立て終了月日までの残日数”｝×３０」に基づいて計算してもよい。
【００４８】
［ステップＳ４：キャラクタの感情表現の決定］
決定部１０２ｅは、ステップＳ３で確認されたグループ目標の進捗度および各ユーザ目標の進捗度に基づいて、感情表現がデザインされたキャラクタの当該感情表現を、グループ目標および各ユーザ目標に対して決定する。
【００４９】
例えば、互いに異なる感情表現（例えば喜怒哀楽または機嫌の状態など）がデザインされた複数のキャラクタが予め用意されており、且つ各キャラクタと関連付けて数値範囲（閾値）が予め複数設定されている場合、決定部１０２ｅは、複数の数値範囲の中から進捗度の数値が含まれるものを判定し、当該数値が含まれると判定された数値範囲と関連付けられているキャラクタを、当該進捗度に応じた感情表現のキャラクタとして決定する。
【００５０】
［ステップＳ５：目標、進捗、およびキャラクタが出力された画面の表示］
進捗表示実行部１０２ｄは、図５に示す目標進捗画面ＭＣを生成し、生成した目標進捗画面ＭＣに含まれている領域ＭＣ１に、ステップＳ３で読み出されたグループ目標および各ユーザ目標を出力する。
【００５１】
進捗表示実行部１０２ｄは、目標進捗画面ＭＣに含まれている領域ＭＣ２に、ステップＳ２で算出された残金の合算値およびステップＳ３で読み出されたグループ目標に含まれている目標金額を、当該合算値と当該目標金額との差分が容易に視認されるようなグラフ（例えば棒グラフまたは円グラフなど）で図５に示すような位置に出力する。
【００５２】
進捗表示実行部１０２ｄは、目標進捗画面ＭＣに含まれている領域ＭＣ２に、ステップＳ２で読み出された各構成ユーザの家計簿データに含まれている残金およびステップＳ３で読み出された各構成ユーザのユーザ目標に含まれている分担金額を、当該残金と当該分担金額との差分が容易に視認されるようなグラフ（例えば棒グラフまたは円グラフなど）で構成ユーザごとに図５に示すような位置に出力する。
【００５３】
進捗表示実行部１０２ｄは、目標進捗画面ＭＣに含まれている領域ＭＣ２に、ステップＳ４で感情表現が決定された複数のキャラクタ（具体的には、グループに対応するキャラクタおよび各構成ユーザに対応するキャラクタ）を、当該領域ＭＣ２に出力されているグラフとの対応が容易に視認されるような位置（図５に示すような位置など）に出力する。
【００５４】
進捗表示実行部１０２ｄは、これらの出力が行われた後の目標進捗画面ＭＣを、モニタ１１４に表示する。これにより、図５に示す目標進捗画面ＭＣがモニタ１１４に表示される。
【００５５】
［３．本実施形態のまとめ、及び他の実施形態］
以上、本実施形態によれば、家計簿管理において、グループ（例えば家族全員（複数ユーザ）など）にまたがる、特定の期間までに貯めたい金額目標（例えば、年末に海外旅行に行くという目的のために４月から年末までに５０万円を貯めるなどといった節約目標など）を設定し、構成員の各個人の残高（収支の総収入額と総支出額の差額）を合算し、グループにまたがる金額目標に対する進捗度または達成度を管理する。また、本実施形態によれば、グループにまたがる金額目標に対して各構成ユーザの金額目標を設定し、各構成ユーザの金額目標に対する進捗度または達成度を管理する。また、本実施形態によれば、進捗度または達成度に応じて、家計簿管理アプリケーション上で表示されるキャラクタの機嫌、仕草、動作などの感情表現を変化させる。
【００５６】
これにより、家計簿管理において、お金に関する目標（例えば節約目標または貯蓄目標など）をグループという総合的な括りで管理することができるようになり、その結果、各々の構成ユーザに、当該目標の達成に向けた継続的な行動（例えばお金の節約もしくは貯蓄、および家計簿の運用など）を効果的に促すことができる。また、グループ全体としてのグループ目標（節約目標）の設定と当該グループ目標に対する各構成ユーザのユーザ目標（分担目標または節約目標）の設定が可能となる。また、複数人（例えば家族全員）の目的（例えば、年末までに２０万円貯めて旅行に行く）のために、各人に節約目標を割り振って設定し、目標の進捗を総合的に管理することができる。
【００５７】
また、各構成ユーザは、日々の家計簿を記入しながら、その時点でのグループ全体のグループ目標および各構成ユーザのユーザ目標の進捗度または達成度を確認することができる。また、各構成ユーザは、家計簿管理アプリケーション上に表示されたキャラクタの感情表現の状態から、グループ目標および各構成ユーザのユーザ目標の進捗度または達成度の状況を一目で確認することができる。そして、これらの結果、各構成ユーザに、継続的な家計簿（入／出金管理）の運用および節約促進に対する動機または楽しみなどを与えることができる。
【００５８】
さらに、本発明は、上述した実施形態以外にも、請求の範囲に記載した技術的思想の範囲内において種々の異なる実施の形態にて実施されてよいものである。
【００５９】
例えば、金額目標管理装置１００がスタンドアローンの形態で処理を行う場合を一例に説明したが、金額目標管理装置１００は、クライアント端末（金額目標管理装置１００とは別筐体である）からの要求に応じて処理を行い、その処理結果を当該クライアント端末に返却するようにしてもよい。
【００６０】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００６２】
また、金額目標管理装置１００に関して、図示の各構成要素は機能概念的なものであり、必ずしも物理的に図示の如く構成されていることを要しない。
【００６３】
例えば、金額目標管理装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて金額目標管理装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６４】
また、このコンピュータプログラムは、金額目標管理装置１００に対して任意のネットワークを介して接続されたアプリケーションプログラムサーバに記憶されていてもよく、必要に応じてその全部または一部をダウンロードすることも可能である。
【００６５】
また、本発明にかかる金額目標管理プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【００６６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００６７】
記憶部１０６に格納される各種のデータベース等（家計簿データ記憶部１０６ａおよび目標データ記憶部１０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６８】
また、金額目標管理装置１００は、既知のパーソナルコンピュータ、ワークステーション等の情報処理装置として構成してもよく、また、該情報処理装置に任意の周辺装置を接続して構成してもよい。また、金額目標管理装置１００は、該情報処理装置に本発明にかかる金額目標管理方法を実現させるソフトウェア（プログラム、データ等を含む）を実装することにより実現してもよい。
【００６９】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７０】
以上のように、本発明にかかる金額目標管理装置、金額目標管理方法、および金額目標管理プログラムは、産業上の多くの分野、特に家計簿管理に関する情報処理分野で実施することができ、極めて有用である。
【符号の説明】
【００７１】
１００  金額目標管理装置
１０２  制御部
１０２ａ  設定部
１０２ｂ  合算部
１０２ｃ  確認部
１０２ｄ  進捗表示実行部
１０２ｅ  決定部
１０４  通信インターフェース部
１０６  記憶部
１０６ａ  家計簿データ記憶部
１０６ｂ  目標データ記憶部
１０８  入出力インターフェース部
【図１】
0005577464.tif 000002
【図２】
0005577464.tif 000003
【図３】
0005577464.tif 000004
【図４】
0005577464.tif 000005
【図５】
0005577464.tif 000006